(57)【要約】      （修正有）【課題】少量の材料を混合するのに適し、清掃し、使用し、或いは残った混合材料を保管することが容易であるようなブレンダ装置を提供する。【解決手段】ブレンダ装置は、本体と、攪拌手段を備えた選択的に着脱可能なベースと、ブレンダベースに設けられたロック溝に係合するべきロック部材と、容器の内容物をろ過するための着脱可能なろ過手段とを有する。混合ベースと共に用いられる容器は、一端に設けられた開口及び他端に設けられた基端部を有し、かつ前記基端部に向けてテーパが付けられていたり、その周囲に間隔をおいて設けられた１つ又は複数のロック部材を有するものであって良い。容器は、更に、開口の周囲に対して選択的に着脱可能であるようなリングを有し、リングが容器に装着されていれば、ユーザは、容器の内容物をこぼすことなく飲むことができる。【選択図】      図１
2005066351.tif 000002
【特許請求の範囲】
【請求項１】
ブレンダ装置であって、
軸を回転する手段、上部に配置された凹部、該凹部の周囲に配置された圧力応動式スイッチ及び１つ又は複数のロック溝を備えたベースと、
一端に設けられた開口及び他端に設けられた基端部を有する本体及び、前記開口の周囲に配置された１つ又は間隔をおいて設けられ、前記ロック溝に係合するべく適合された複数のロック部材を備えた容器と、
前記容器の開口に選択的に着脱可能に装着されたリングと、
前記容器の内容物を攪拌するべく前記容器本体の開口に選択的に着脱可能に設けられた攪拌手段とを有することを特徴とするブレンダ装置。
【請求項２】
概ね平坦な上部及び該上部の周囲に設けられた壁を含む蓋部材を有し、前記蓋部材が複数の開口を有し、かつ前記容器の開口に対して選択的に着脱可能であることを特徴とする請求項１に記載のブレンダ装置。
【請求項３】
前記容器の開口に、１つ又は複数のねじが設けられていることを特徴とする請求項１に記載のブレンダ装置。
【請求項４】
前記リングが、少なくとも１つの壁と、前記少なくとも１つの壁に結合された蓋部材を有することを特徴とする請求項３に記載のブレンダ装置。
【請求項５】
前記容器本体の内部に設けられた１つ又は複数の突条を有することを特徴とする請求項１に記載のブレンダ装置。
【請求項６】
前記攪拌手段が、ミキサーベース及び該ミキサーベースに回転可能に結合された１つ又は複数のブレードを有することを特徴とする請求項１に記載のブレンダ装置。
【請求項７】
一端に設けられた開口及び他端に設けられた基端部を有する本体と、
該本体の外側に設けられたハンドルと、
前記開口の下側に配置され、前記本体の外側から延出するストッパ突条と、
前記ストッパ突条の外周に、互いに間隔をおいて設けられた１つ又は複数のロック部材と、
前記開口に選択的に着脱可能に装着されたリングとを有することを特徴とするブレンダ用容器。
【請求項８】
前記開口の周囲にて、前記ストッパ突条の上側に設けられた１つ又は複数のねじを更に有することを特徴とする請求項７に記載のブレンダ用容器。
【請求項９】
前記容器の内容物を攪拌するべく前記開口に選択的に着脱可能に設けられた攪拌手段を更に有することを特徴とする請求項７に記載のブレンダ用容器。
【請求項１０】
前記攪拌手段が、ミキサーベースに回転可能に結合された１つ又は複数のブレードを有することを特徴とする請求項９に記載のブレンダ用容器。
【請求項１１】
前記リングが、少なくとも１つの壁と、前記少なくとも１つの壁の上部に結合されたリップとを有することを特徴とする請求項７に記載のブレンダ用容器。
【請求項１２】
前記本体の内部に設けられた１つ又は複数の突条を更に有することを特徴とする請求項７に記載のブレンダ用容器。
【請求項１３】
前記ハンドルが概ねＣ字形をなすことを特徴とする請求項７に記載のブレンダ用容器。
【請求項１４】
ブレンダ装置であって、
軸を回転する手段、上部に配置された凹部、該凹部の周囲に配置された圧力応動式スイッチ及び１つ又は複数のロック溝を備えたベースと、
一端に設けられた開口及び他端に設けられた基端部を有し、かつ前記基端部に向けてテーパが付けられた本体、該本体の外側に設けられたハンドル、前記開口の周囲に間隔をおいて設けられた、前記ロック溝に係合するべく適合された１つ又は複数のロック部材及び前記開口の周囲に設けられたねじを備えた容器と、
少なくとも１つのリング壁、前記少なくとも１つのリング壁の上部に結合されたリップを有し、前記リング壁が、その内部に設けられた１つ又は複数のリングねじを有し、前記リングねじが前記容器ねじに対して選択的に着脱可能であるようなリングと、
前記容器の内容物を攪拌するべく適合され、前記容器ねじに対して選択的に着脱可能な攪拌手段と、
概ね平坦な上部及び該上部の周囲に設けられた壁を含み、前記上部が複数の開口を有し、かつ前記容器ねじに対して選択的に着脱可能であるような蓋部材とを有することを特徴とするブレンダ装置。
【請求項１５】
前記攪拌手段が、ミキサーベース及び該ミキサーベースに回転可能に結合された１つ又は複数のブレードを有することを特徴とする請求項１４に記載のブレンダ装置。
【請求項１６】
前記蓋部材の前記複数の開口が、前記蓋部材の一部に配置されていることを特徴とする請求項１４に記載のブレンダ装置。
【請求項１７】
前記蓋部材が、前記壁の内部に設けられた１つ又は複数のねじを有することを特徴とする請求項１４に記載のブレンダ装置。
【請求項１８】
前記容器が、前記本体の内部に設けられた１つ又は複数の突条を更に有することを特徴とする請求項１４に記載のブレンダ装置。
【発明の詳細な説明】
【技術分野】
【０００１】
本発明は、ブレンダ装置に関する。
【背景技術】
【０００２】
種々の液体及び固体を混合するために、今までに様々な装置が開発されてきた。これらの装置は、様々な用途或いは目的に適合するように、様々な特徴及びオプション機構を備えている。例えば、ブレンダ装置としては、自立式のものと、手持ち式のものとがある。従来のこの種の装置は便利なものであるが、特に小さなバッチで混合を行うような場合に、清掃し、使用し、或いは残った混合材料を保管することが容易でない。具体的に述べるなら、自立式のものは、少量の材料を混合するには、大型で扱い難いもので、一般に比較的大量の材料を混合する際に適するように設計されている。手持ち式のものは、少量の材料を混合するには便利であるが、材料を均質に混合する性能はそれ程高くない。しかも、手持ち式のものは、一般にボールやカップのような開かれた容器と共に用いられ、材料を処理する際に材料をこぼしたり、飛散させる可能性が比較的高い。また、残った材料を開かれた容器から空け、保管或いは運搬に適するシール可能な容器に移さなければならない。従って、少量の材料を混合するのに適し、清掃し、使用し、或いは残った混合材料を保管することが容易であるようなブレンダ装置が望まれる。
【発明の開示】
【０００３】
本出願に開示されている実施例は、個人用のブレンダ装置をなしている。或る実施例によれば、ブレンダ装置は、モータ手段を含むベースと、個人用の容器と、組合せブレンダ・ジューサ・キャニスタを有する。ベースは、本体と、モータ手段と、モータに結合された攪拌手段と、容器を受容するべく凹設された壁と、モータ手段を選択的に作動させる圧力応動式スイッチを有する。使用時には、容器又はキャニスタをベース上に配置し、容器又はキャニスタに圧力を加えると、モータが作動し、容器又はキャニスタの内容物を攪拌する。ベースは、ロック溝を有し、ユーザは、モータが回転する間に、容器又はキャニスタをベースにロックすることができる。
【０００４】
或る実施例によれば、個人用の容器は砲弾型形状を有する。別の実施例によれば、容器は円筒形、多角形、立方形又はピラミッド形を有するものであって良い。容器は、単純なキャップや、攪拌手段を備えたキャップにより閉じられるものであって良い。また、容器は、通常の飲用の容器のように自立し得るように、安定に容器を支持するために、複数の突条を有するものであって良い。即ち、砲弾型形状を有する容器を倒立させ、突条の上に自立し、キャップに対してアクセスし得るようにすることができる。更に、容器は、ブレンダベースに設けられたロック溝に係合するべきロック部材を備えているものであって良い。
【０００５】
或る実施例によれば、ブレンダキャニスタは、少なくとも、本体と、攪拌手段を備えた選択的に着脱可能なベースと、ブレンダベースに設けられたロック溝に係合するべきロック部材と、容器の内容物をろ過するための着脱可能なろ過手段とを有する。使用時には、ろ過手段をブレンダキャニスタの本体に装着し、果物や野菜を、ろ過手段の内部に投入し、ブレンドする。パルプ状となった果物や野菜は、ろ過手段の内部に残り、得られたジュースはブレンダキャニスタから注ぎ出される。或いは、容器の内容物をろ過するための着脱可能なろ過手段を用いることなくブレンダキャニスタを用いることもできる。
【０００６】
別の実施例によれば、混合ベースと共に用いられる容器は、一端に設けられた開口及び他端に設けられた基端部を有し、かつ前記基端部に向けてテーパが付けられている。容器は、また、その周囲に間隔をおいて設けられた１つ又は複数のロック部材を有するものであって良い。容器本体は、その外側に設けられた固定部材を有するものであって良い。容器は、更に、開口の周囲に対して選択的に着脱可能であるようなリングを有し、リングが容器に装着されていれば、ユーザは、容器の内容物をこぼすことなく飲むことができる。
【０００７】
更に別の実施例によれば、本出願に開示されている１つ又は複数の容器に対して装着し得るキャップが提供される。キャップは、概ね平坦な上部及び少なくとも１つの側壁を含む。キャップは、１つ又は複数の結合手段により、容器の開口に装着される。キャップは、容器の上部にて互いに間隔をおいて設けられた複数の開口を有するものであって良い。開口は、用途に応じて、様々な大きさ、形状及び配列密度を有するものであって良い。
【発明を実施するための最良の形態】
【０００８】
以下、本発明の好適実施例について図面を参照しながらより詳しく説明する。但し、以下に説明する実施例は、単なる例示であって、本発明を何ら限定するものではないことを了解されたい。
【０００９】
図１は、本発明に基づく小バッチ用及び大バッチ用のブレンダ装置の好適実施例を示す。左側には、大バッチ用のバッチ容器１０６が示され、右側には、小バッチ用容器１０１が、ブレンダベース１００に係合した状態で示されている。本実施例では、容器１０１は砲弾型形状をなしているが、他の形状を有するものであっても良い。また、容器１０１は、その外面に複数の突条１０２を有するものであって良い。容器１０１には、更に、その内容物を攪拌するための攪拌手段１０３を備えている。攪拌手段１０３は、軸等の動力伝達手段に結合されたブレード要素を有するものであって良い。このブレード要素は、１つ、２つ、３つ、４つ或いはそれ以上の数の切断部材を備えたものであって良い。このような切断部材は、鋭利なエッジ及び先鋭な先端部を有する概ね平坦な薄板部材からなるものであって良く、その主面に沿って１つ或いは２つ折り曲げ部を有するものであって良い。
【００１０】
バッチ容器１０６は、基端部１１０、着脱自在の蓋部材１０４、１０５及び基端部１１０に取り付けられた攪拌手段１０８を備えている。図示された実施例では、蓋部材が２つの部材を組み合わせて構成されているが、一部材或いは３つ以上の数の部材からなるものであっても良い。蓋部材１０４は、キャップロック部材１０７を介して、バッチ容器１０６の上部に設けられた開口にロックすることができる。キャップロック部材１０７は、バッチ容器１０６の開口のリップ（端縁部）に設けられたＬ字形の突条からなるものであって良い。キャップロック部材１０７は、蓋部材１０４の図示外の対応部分に係合し、蓋部材１０４をバッチ容器１０６に固定する。
【００１１】
或る実施例によれば、バッチ容器１０６はジューサー要素１１１を含むものであって良い。ジューサー要素１１１は、本体１１３と、その外周に沿って間隔をおいて配置された複数の濾過要素１１４とを有するものであって良い。図示された実施例では、本体１１３の一端に漏斗１１２が設けられている。ジューサー要素１１１は、更に、ジューサー要素１１１の一端に設けられた環状ストッパ部材１１５を有するものであって良く、それにより、ジューサー要素１１１が、バッチ容器１０６内に必要以上に押し込まれることがないようにしている。
【００１２】
図２Ａ、２Ｂ、２Ｃは、小バッチ容器１０１を様々な方向から見た様子を示している。即ち、バッチ容器１０１は、１人又は少数の人が消費するべき比較的少量の材料を処理するようにそのサイズが定められている。図２Ａに示されるように、バッチ容器１０１は、卓面上等に載置されるとき、その外面上に設けられた突条１０２により支持される。特に、バッチ容器１０１が、倒れることなくその先端面上に自立し得るように、突条１０２の形状が定められている。当業者であれば容易に理解できるように、概ね平坦な面上であれば直立し得る限り、突条１０２の数を、図示されたもの以外に定めることができる。図２Ａに示されるように、バッチ容器１０１を、飲むための容器として用いることができる。即ち、使用者は、バッチ容器１０１の内容物を混合し、バッチ容器１０１をブレンダベース１００から取り外し、バッチ容器１０１の内容物に、消費等のためにアクセスし（通常は、バッチ容器１０１の内容物を飲みことからなる）、蓋部材１０４をバッチ容器１０１に装着し、次に使用するときまで保管することができる。
【００１３】
或る使用状態に於いては、図２Ｃに示されるように、バッチ容器１０１がキャップ２００により閉じられている。別の使用状態に於いては、図２Ｄに示されるように、攪拌手段２０３を備えた基端部２０２により閉じられている。図２Ｃに示されるように、キャップ２００を、ねじによりバッチ容器１０１の開口に装着するようにしても良い。当業者であれば容易に理解できるように、キャップ２００を、摩擦係合或いはスナップ係合の様々な或いは公知の手段によりバッチ容器１０１に装着することができる。図２Ｂに示されるように、バッチ容器１０１を倒立させると、そのキャップ２００上に直立ざせることができる。
【００１４】
図２Ｄは、図２Ａ、２Ｂ、２Ｃに示されたものよりもやや大きな容積を有するバッチ容器１０１の実施例を示す。また、ベース２０２には別の実施例の攪拌手段２０３が備えられている。更に、図２Ａ、２Ｂ、２Ｃに示されるように、バッチ容器１０１は、その外周に沿って間隔をおいて配置された複数のロック部材２０１を有する。ロック部材２０１により、モータ手段を作動状態に維持し得るように、常時容器に対して力を加えずとも、ブレンダ装置を稼動させることが可能となる。
【００１５】
図３は、ベース１００及びその窪まされた凹部３００に関連する部分を示す。ベース１００は、図示外のモータに連結されたインペラ３０１を有する。インペラ３０１は、その中心から放射状に延出する複数のブレード３０３を含む。凹部３００の内周に沿って、複数のブッシング３０５が配置されている。別の実施例のベース１００では、ブッシング３０５が設けられていない。ブッシング３０５は、限定的ではないが、ゴム、シリコーン樹脂等の弾性的に変形容易な材料からなり、容器の内容物を攪拌することに伴い発生する振動を低減する働きを発揮する。また、図３に示されるように、凹部３００には、圧力応動式の複数のスイッチ３０２が配置されている。使用時には、小バッチ容器１０１或いは大バッチ容器１０６の重量により、或いは使用者の加える押圧力により、スイッチ３０２が下向きに押され、モータが作動する。
【００１６】
図３に示されるように、スイッチ３０２に隣接してロック用溝３０４を設けることができる。それにより、使用時には、バッチ容器１０１、１０６を押し下げ、回転させることにより、ロック部材２０１をロック用溝３０４に係合させると、スイッチ３０２が閉じられた状態に維持され、モータが継続時に作動することになる。図６に示されるように、力Ｆ１がスイッチ３０２に加えられると、スイッチ３０２が下向きに変位する。このような下向きの変位により、スイッチ３０２に設けられたカム６００が、モータに接続されたスイッチ手段５０１に接触し、モータの動作が開始するようになる。このように、使用目的や応用対象によっては、バッチ容器１０１或いは１０６を押し下げることにより、モータ５００を短時間動作させることができる。或いは、バッチ容器１０１或いはバッチ容器１０６を押し下げ、かつ僅かに回転させることにより、ロック部材２０１がロック用溝３０４に係合させ、使用者がバッチ容器１０１或いはバッチ容器１０６を常に押し下げなくとも、モータを継続して動作させることができる。
【００１７】
図７は、バッチ容器１０６の別の実施例を示す。バッチ容器１０６は、或る容積の本体及びそれに装着された蓋部材１０４を備えている。蓋部材は複数の開口７００を有し、それにより、蓋部材１０４を装着したままで、バッチ容器１０６の内容物を注ぎ出すことができる。バッチ容器１０６は、更に基端部１１０を備えている。基端部１１０は、凹部３００内に嵌入されるべく、その寸法が定められている。基端部１１０は、バッチ容器１０６にねじ込むことにより、それに結合される。基端部１１０は、図９に示されるように、攪拌手段１０８を有する。図７に示されるように、バッチ容器１０６は、その基端部１１０の近傍にあって、その外周に沿って間隔をおいて設けられた複数のロック部材１０９を有する。図７に示されたバッチ容器１０６に表れているように、バッチ容器１０６の本体内部にジューサー１１１を設けることができる。当業者であれば容易に理解できるように、バッチ容器１０６の本体内部にジューサー１１１が設けられていなくとも良い。バッチ容器１０６は、ハンドル８００に加えて、その内容物を注ぎ出すための注ぎ口８０１を有するものであって良い。
【００１８】
図１０は、バッチ容器１０６の断面図を示す。この断面図中には、バッチ容器１０６の本体内部に設けられたジューサー１１１が示されている。図１０に示されるように、ジューサー１１１は、バッチ容器１０６の底部に固定されている。更に、キャップ１０５を取り外すことにより、ジューサー１１１の内部に対してアクセスすることができる。使用時には、野菜や果物をジューサー１１１の内部１００３に投入する。モータの回転力は、軸１０００及びそれに嵌合するインペラ１００１を介して、攪拌手段１０８に伝達される。ジューサー１１１の内部１００３の内容物は攪拌され、得られたジュースは、濾過要素１１４を経て、ジューサー内部１００３から容器本体１００２に濾し出される。残されたパルプ状内容物は、分離され、ジューサー内部１００３に留まる。２部材からなるキャップ１０４、１０５を用いることにより、使用者は、キャップを取り外したり、内容物をこぼしたり、跳ね上げる心配からモータを停止することなく、ジューサー内部１００３に対してアクセスすることができる。例えば、使用者は、キャップ１０５取り外すことにより、ジューサー内部１００３に対してアクセスし、ジュースを搾り出すための材料を追加投入することができる。容器本体１００２内の空間にあるジュースは、開口から蓋部材を取り外すことなく、容器本体１００２内から注ぎ出すことができる。
【００１９】
図１１は、マグカップ状のバッチ容器１１００の実施例を示す。バッチ容器１０６は、液体を貯容する空間を画定する少なくとも１つの壁１１０１を有する。図示されているように、壁１１０１は、バッチ容器１１００の開口から基端部にかけて縮径するようにテーパがつけられている。バッチ容器１１００には、また容器をつかむための把持手段１１０２が設けられている。或る実施例では、把持手段が、外壁面に固定された概ねＵ字形のハンドル１１０２をなしている。しかしながら、ハンドル１１０２は、円弧状、Ｖ字形など、それ以外の形状を有するものであっても良い。
【００２０】
バッチ容器１１００は、更に、その外周に沿って間隔をおいて設けられた複数のロック部材１１０４を有する。或る実施例では、ロック部材１１０４が、バッチ容器１１００の外壁１１０１から垂直に突出する突部をなしている。図１１に示されるように、ロック部材１１０４は概ね直方体形状をなすものであって良い。当業者であれば容易に理解できるように、ロック部材１１０４は、それ以外の様々な形状をなすものであって良い。
【００２１】
図１２に示されるように、バッチ容器１１００は、リング１１０３を外壁１１０１に取り付けるためのねじ１２００を備えている。図１１に示されるように、ロック部材１１０４は、環状の突条１１０５上に設けられているものであって良い。突条１１０５は、リング１１０３がバッチ容器１１００の開口を越えてねじ込まれることのないようにするためのストッパとして機能する。
【００２２】
バッチ容器１１００は、その開口の上端部に設けられたリング１１０３を有するものであって良い。リング１１０３は、ねじその他の公知の結合手段によりバッチ容器１１００に固定されているものであって良い。或る実施例では、リング１１０３は、内周面及び外周面を有する円筒形状をなし、その内周面には、ねじ１３００が設けられている。また、リング１１０３は、その壁に接続する上面即ちリップを有するものであって良い。使用者が、バッチ容器１１００から飲料を快適に飲むことができるように、リング１１０３は、バッチ容器１１００のねじ１２００を越えて延出するものであって良い。
【００２３】
図１４は、バッチ容器１１００が基端部１１０に固定された状態を示す。或る使用状態では、バッチ容器１１００が倒立した状態で、基端部１１０にねじ込まれている。このようにして、バッチ容器１１００が、ベース１００の窪まされた凹部３００に挿入される。図１４に示されるように、バッチ容器１１００の基端部側には、多少のテーパが付けられている。このテーパにより、バッチ容器１１００がドーム状形状を有するものとなり、これによって攪拌作用が改善される。
【００２４】
図１５、１６は、容器１０１、１１００に結合し得るキャップ１５００、１６００の実施例を示す。キャップ１５００、１６００は、概ね平坦な上面１５０２、１６０３及び少なくとも１つの側壁１５０３、１６０４を有する。或る実施例では、キャップ１５００、１６００の上面１５０２、１６０３は、側壁１５０３、１６０４に対して概ね直交している。当業者であれば容易に理解できるように、キャップ１５００、１６００は、適当な結合手段を介して容器１０１、１１００に固定することができる。或る実施例では、結合手段が、スナップ結合のための突条をなしている。また、キャップ１５００、１６００の内周に図示されていないねじを設けることもできる。このようなねじは、上記した容器１０１、１１００に設けられたねじに螺合し得るように、その寸法が定められている。
【００２５】
図１５に示されるように、容器は、キャップ１５００に、互いに間隔をおいて設けられた複数の開口１５０１を有するものであって良い。開口１５０１は、様々な寸法、形状及び密度をもって設けられているものであって良い。図１５、１６に示された実施例では、開口１５０１はそれぞれ概ね円形をなしている。当業者であれば容易に理解できるように、開口１５０１、１６０１、１６０２の形状は、様々な公知の形状から選択することができる。また、キャップ１５００、１６００上に於ける開口の分布形態も、キャップ１５００、１６００の用途に応じて、任意に定めることができる。例えば、図１５に示されるように、キャップ１５００は、内容物中の粗い或いは大粒の成分をふるい落とすために用いることができる。図１６に示された実施例では、より小径の開口１６０１、１６０２が、より高密度に配置され、内容物中の比較的細かい成分を濾し分けることができる。また、図示されるように、２種類のグループの開口１６０１、１６０２を同一のキャップ１６００に設け、一方のグループの開口１６０１、１６０２を選択的に用いるようにすることもできる。
【００２６】
以上、本発明を特定の実施例について説明したが、当業者であれば、請求の範囲に記載された本発明の概念から逸脱することなく、種々の変形・変更が可能である。
【図面の簡単な説明】
【００２７】
【図１】本発明に基づくブレンダ装置の好適実施例を示す斜視図である。
【図２Ａ】本発明に基づくバッチ式ブレンダ装置の好適実施例を示す斜視図である。
【図２Ｂ】図２Ａのバッチ式ブレンダ装置の分解斜視図である。
【図２Ｃ】図２Ａのバッチ式ブレンダ装置の倒立斜視図である。
【図２Ｄ】本発明に基づくバッチ式ブレンダ装置の別の実施例を示す斜視図である。
【図３】本発明に基づくブレンダベースの好適実施例を示す斜視図である。
【図４】図３のブレンダベースの分解斜視図である。
【図５】図４の５−５線について見たブレンダベースの断面図である。
【図６】図５の６−６線について見たブレンダベースの断面図である。
【図７】本発明に基づくブレンダ装置の別の実施例を示す側面図である。
【図８】図７のブレンダ装置の斜視図である。
【図９】本発明に基づくブレンダベースの別の実施例を示す斜視図である。
【図１０】図７の１０−１０線について見たブレンダ装置の斜視図である。
【図１１】本発明に基づくブレンダ装置に於いて用いられるマグカップ状のバッチ容器の実施例を示す斜視図である。
【図１２】図１１のマグカップ状のバッチ容器からリングを取り外した状態を示す斜視図である。
【図１３】図１２のマグカップ状のバッチ容器を下方から見た斜視図である。
【図１４】本発明に基づくブレンダベースに結合されたマグカップ状のバッチ容器の別の実施例を示す斜視図である。
【図１５】本発明に基づくバッチ容器別の実施例を上方から見た斜視図である。
【図１６】本発明に基づくバッチ容器の更に別の実施例を上方から見た斜視図である。
【図１】
2005066351.tif 000003
【図２Ａ】
2005066351.tif 000004
【図２Ｂ】
2005066351.tif 000005
【図２Ｃ】
2005066351.tif 000006
【図２Ｄ】
2005066351.tif 000007
【図３】
2005066351.tif 000008
【図４】
2005066351.tif 000009
【図５】
2005066351.tif 000010
【図６】
2005066351.tif 000011
【図７】
2005066351.tif 000012
【図８】
2005066351.tif 000013
【図９】
2005066351.tif 000014
【図１０】
2005066351.tif 000015
【図１１】
2005066351.tif 000016
【図１２】
2005066351.tif 000017
【図１３】
2005066351.tif 000018
【図１４】
2005066351.tif 000019
【図１５】
2005066351.tif 000020
【図１６】
2005066351.tif 000021